(57)【要約】【課題】粘着材シートが備える粘着材の層と他の層との剥離を防止でき、また、刃に異物が付着することを防止することができる粘着材シート切断装置および粘着材シート切断方法を提供する。【解決手段】刃ホルダ２は、トムソン刃１を支持し、またベースプレート３に固定される。トムソン刃１が張り出している刃ホルダ２の面には、潤滑剤を保持する潤滑剤保持部４が設けられる。潤滑剤保持部４のスポンジ状部材４ａは潤滑剤を保持し、シール部材４ｂはトムソン刃以外の方向に潤滑剤が排出されることを防ぐ。刃ホルダ２が粘着材シート２１に近づくと、潤滑剤保持部４は粘着材シート２１に押し当てられ変形する。すると、スポンジ状部材４ａも変形して、潤滑剤を排出しつつ、トムソン刃１に接触する。トムソン刃１は、スポンジ状部材４ａによって潤滑剤が塗布される。【選択図】図１
2008030137.tif 000002
【特許請求の範囲】
【請求項１】
粘着材の層を有する粘着材シートを切断する粘着材シート切断装置であって、
粘着材シートを切断する刃と、
前記刃を支持し、粘着材シート配置位置に近づいて前記刃に粘着材シートを切断させる刃支持手段と、
前記刃の刃支持手段から張り出した箇所の近傍で潤滑剤を保持する潤滑剤保持手段とを備え、
刃支持手段は、粘着材シート配置位置に近づいたときに潤滑剤保持手段を粘着材シートに押し当てて潤滑剤保持手段を変形させ、
潤滑剤保持手段は、刃支持手段によって粘着材シートに押し当てられると変形し、変形時に排出する潤滑剤を前記刃に塗布する
ことを特徴とする粘着材シート切断装置。
【請求項２】
潤滑剤保持手段に潤滑剤を供給する潤滑剤供給手段を備えた請求項１に記載の粘着材シート切断装置。
【請求項３】
粘着材の層を有する粘着材シートを切断する粘着材シート切断方法であって、
粘着材シートを切断する刃を粘着材シートに近づけるときに、前記刃に潤滑剤を塗布し、潤滑剤が塗布された前記刃によって粘着材シートを切断する
ことを特徴とする粘着材シート切断方法。
【発明の詳細な説明】
【技術分野】
【０００１】
本発明は、粘着材の層を有する粘着材シートを切断する粘着材シート切断装置および粘着材シート切断方法に関する。
【背景技術】
【０００２】
型抜きに用いられる刃は、トムソン刃と呼ばれる。トムソン刃の例が、例えば特許文献１に記載されている。
【０００３】
特許文献１には、基台にトムソン刃を枠状に配設し、そのトムソン刃からなる枠の内側および外側の基台上にそれぞれクッション材を配設したトムソン型が記載されている。
【０００４】
また、刃によって、粘着材シートを切断する場合がある。粘着材シートは、粘着材の層を有するシートである。粘着材の例として、ＰＳＡ（Pressure Sensitive Adhesive ：感圧性接着材）があり、粘着材シートの例として、ＰＳＡの層の表面および裏面にセパレータと呼ばれる剥離フィルムを設けたシートがある。
【０００５】
図７は、粘着材シートを切断する従来の切断装置の刃の部分の例を示す説明図である。トムソン刃１０１は、刃ホルダ１０２によって支持される。トムソン刃１０１の厚さは例えば０．２５ｍｍである。また、トムソン刃１０１として、例えば、ＳＵＳ（Stainless Used Steel）の剃刀刃が用いられる。トムソン刃１０１は、粘着材シート２１を切断する。図８は、従来の切断装置のトムソン刃１０１が粘着材シート２１を切断した状態を示す説明図である。図８に示すように、刃ホルダ１０２が切断対象となる粘着材シート２１に近づくことにより、トムソン刃１０１が粘着材シート２１を切断する。
【０００６】
【特許文献１】特開２００５−２６２４１８号公報（段落０００９−００１５、図３）
【発明の開示】
【発明が解決しようとする課題】
【０００７】
従来のトムソン刃で粘着材シートを切断した場合、粘着材シートの切断面のうち、粘着材層の切断面が刃に付着してしまう。そのため、切断後にトムソン刃を上昇させるときに、刃に付着している粘着材層もトムソン刃とともに引き上げられ、粘着材の層とセパレータとが剥離してしまうという問題があった。
【０００８】
また、切断時に生じる粘着材の層の切り屑がトムソン刃に付着してしまうという問題があった。このような異物（切り屑）が付着することにより、トムソン刃は、粘着材シートを切断しにくくなってしまう。また、異物の付着は刃の寿命を短くする要因にもなる。
【０００９】
そこで、本発明は、粘着材シートが備える粘着材の層と他の層との剥離を防止でき、また、刃に異物が付着することを防止することができる粘着材シート切断装置および粘着材シート切断方法を提供することを目的とする。
【課題を解決するための手段】
【００１０】
本発明の態様１は、粘着材の層を有する粘着材シートを切断する粘着材シート切断装置であって、粘着材シートを切断する刃（例えばトムソン刃１）と、刃を支持し、粘着材シート配置位置に近づいて刃に粘着材シートを切断させる刃支持手段（例えば刃ホルダ２）と、刃の刃支持手段から張り出した箇所の近傍で潤滑剤を保持する潤滑剤保持手段（例えば潤滑剤保持部４）とを備え、刃支持手段は、粘着材シート配置位置に近づいたときに潤滑剤保持手段を粘着材シートに押し当てて潤滑剤保持手段を変形させ、潤滑剤保持手段は、刃支持手段によって粘着材シートに押し当てられると変形し、変形時に排出する潤滑剤を刃に塗布することを特徴とする粘着材シート切断装置を提供する。
【００１１】
本発明の態様２は、態様１において、潤滑剤保持手段に潤滑剤を供給する潤滑剤供給手段（例えばポンプ６）を備えた粘着材シート切断装置。
【００１２】
本発明の態様３は、粘着材の層を有する粘着材シートを切断する粘着材シート切断方法であって、粘着材シートを切断する刃を粘着材シートに近づけるときに、刃に潤滑剤を塗布し、潤滑剤が塗布された刃によって粘着材シートを切断することを特徴とする粘着材シート切断方法を提供する。
【発明の効果】
【００１３】
本発明の粘着材シート切断装置によれば、刃支持手段が、粘着材シート配置位置に近づいたときに潤滑剤保持手段を粘着材シートに押し当てて潤滑剤保持手段を変形させ、潤滑剤保持手段が、刃支持手段によって粘着材シートに押し当てられると変形し、変形時に排出する潤滑剤を刃に塗布する。従って、刃に粘着材の層や異物が付着することを防止できる。また、刃への粘着材の層の付着を防止できるので、刃とともに粘着材の層が引き上げられることを防止でき、粘着材の層と他の層とが剥離することを防止できる。
【００１４】
本発明の粘着材シート切断方法によれば、粘着材シートを切断する刃を粘着材シートに近づけるときに、刃に潤滑剤を塗布し、潤滑剤が塗布された刃によって粘着材シートを切断する。従って、刃に粘着材の層や異物が付着することを防止できる。また、刃への粘着材の層の付着を防止できるので、刃とともに粘着材の層が引き上げられることを防止でき、粘着材の層と他の層とが剥離することを防止できる。
【発明を実施するための最良の形態】
【００１５】
以下、本発明の実施の形態を図面を参照して説明する。
図１は、本発明の粘着材シート切断装置が備える刃および刃の周囲の構成要素を示す模式的断面図である。本発明の粘着材シート切断装置は、刃１と、刃ホルダ２と、ベースプレート３と、潤滑剤保持部４とを備える。
【００１６】
刃１は、切断対象となる粘着材シート２１を切断する刃である。刃１の厚さは、例えば０．２５ｍｍであるが、０．２５ｍｍに限定されない。また、刃１は、例えば、ＳＵＳ（Stainless Used Steel）の剃刀刃である。刃１は、粘着材シート２１の型抜き切断のためのトムソン刃であってもよい。また、型抜きを目的とせずに単に粘着材シート２１を切断する刃であってもよい。以下、刃１が、粘着材シート２１の型抜き切断のためのトムソン刃である場合を例にして説明する。
【００１７】
粘着材シート２１は、粘着材の層を有するシートである。例えば、粘着材シート２１は、ＰＳＡ（Pressure Sensitive Adhesive ：感圧性接着材）の層を有し、ＰＳＡの層の表面および裏面にセパレータ（剥離フィルム）が設けられたシートである。
【００１８】
刃ホルダ２は、トムソン刃１を支持する金属製の部材である。刃ホルダ２は、溝を有し、その溝にトムソン刃１が差し込まれる。刃ホルダ２は、溝に差し込まれたトムソン刃１を支持する。刃ホルダ２によって支持されるトムソン刃１は、刃ホルダ２の外部に張り出す。
【００１９】
ベースプレート３は、刃ホルダ２を固定する部材である。ベースプレート３は、複数の刃ホルダ２を支持してもよい。トムソン刃１は、刃ホルダ毎に交換（着脱）される。また、刃ホルダ２は、例えばボルト等（図示せず。）によって、ベースプレート３に固定される。
【００２０】
また、本発明の粘着材シート切断装置は、切断対象となる粘着材シート２１が配置される下部定盤と、下部定盤に対して近づいたり、離れたりするように移動する上部定盤とを備える。ベースプレート３は、上部定盤に設けられる。上部定盤が下部定盤に近づくと、上部定盤とともに、ベースプレート３、刃ホルダ２およびトムソン刃１も下部定盤に近づき、トムソン刃１が下部定盤上の粘着材シート２１を切断する。なお、図１では、上部定盤および下部定盤の図示を省略しているが、上部定盤および下部定盤については、図５を参照して説明する。
【００２１】
トムソン刃１が張り出している刃ホルダ２の面には、潤滑剤を保持する潤滑剤保持部４が設けられる。潤滑剤保持部４は、潤滑剤として、例えばエタノールを保持する。潤滑剤保持部４は、刃ホルダ２から張り出すトムソン刃１を挟むようにして、刃ホルダ２から張り出すトムソン刃１の両側に設けられる。
【００２２】
潤滑剤保持部４は、変形可能であり、下部定盤（図１において図示せず。図５参照。）上に配置された粘着材シート２１に、刃ホルダ２によって押し当てられると、変形し、保持している潤滑剤を排出する。また、潤滑剤保持部４は、刃ホルダ２によって下部定盤上の粘着材シート２１に押し当てられて変形すると、刃ホルダ２から張り出すトムソン刃１に接触する。従って、潤滑剤保持部４は、刃ホルダ２によって粘着材シート２１に押し当てられると、変形し、排出する潤滑剤を刃ホルダ２から張り出すトムソン刃１に塗布する。
【００２３】
潤滑剤保持部４は、トムソン刃１の刃ホルダ２から張り出した箇所の近傍に設けられる。潤滑剤保持部４と刃ホルダ２との間隔は、潤滑剤保持部４が刃ホルダ２によって粘着材シート２１に押し当てられて変形したときに、スポンジ状部材４ａがトムソン刃１に接触可能な距離であればよい。また、潤滑剤保持部４は、トムソン刃１が粘着材シート２１から離れて停止しているときであってもスポンジ状部材４ａがトムソン刃１に接触するように配置されていてもよい。すなわち、変形していないときであっても、スポンジ状部材４ａがトムソン刃１に接触するように配置されていてもよい。
【００２４】
図２は、潤滑剤保持部４の断面を示す断面図である。図３は、潤滑剤保持部４の外観の例を示す斜視図である。潤滑剤保持部４は、多くの孔を有するスポンジ状部材４ａと、そのスポンジ状部材４ａを内部に収め、トムソン刃１（図２において図示せず。図１参照。）の方向が開口したシール部材４ｂとを備える。潤滑剤保持部４は、スポンジ状部材４ａがシール部材４ｂで挟まれた構成になっている。また、トムソン刃１が存在する方向にシール部材４ｂが開口し、潤滑剤保持部４の側面のうち、トムソン刃１が存在する方向とは異なる方向を向いている各側面は、シール部材４ｂで覆われる。
【００２５】
スポンジ状部材４ａは、多くの孔を有したスポンジ状の部材であり、潤滑剤を吸収して保持する。一方、シール部材４ｂは、潤滑剤を透過させない変形可能な部材である。従って、潤滑剤保持部４が刃ホルダ２によって粘着材シート２１に押し当てられて変形する場合、スポンジ状部材４ａおよびシール部材４ｂがともに変形する。このとき、スポンジ状部材４ａは、刃ホルダ２から張り出すトムソン刃１に接触する。また、スポンジ状部材４ａは、刃ホルダ２によって粘着材シート２１に押し当てられて変形すると、保持していた潤滑剤を排出する。よって、潤滑剤保持部４が刃ホルダ２によって粘着材シート２１に押し当てられると、スポンジ状部材４ａは、変形し、排出する潤滑剤を刃ホルダ２から張り出すトムソン刃１に塗布する。
【００２６】
ただし、潤滑剤保持部４の側面のうち、トムソン刃１が存在する方向とは異なる方向を向いている各側面はシール部材４ｂで覆われ、スポンジ状部材４ａの上層および下層もシール部材４ｂで覆われている。従って、潤滑剤は、潤滑剤保持部４の側面のうちトムソン刃１が存在する方向の側面のみから排出され、シール部材４ｂは、トムソン刃１が存在しない方向への潤滑剤の排出を防ぐ。
【００２７】
スポンジ状部材４ａおよびシール部材４ｂの材質は、例えば、フッ素樹脂やウレタンである。スポンジ状部材４ａおよびシール部材４ｂの材質が同一であってもよい。例えば、スポンジ状部材４ａおよびシール部材４ｂの材質をいずれもフッ素樹脂としてもよい。あるいは、スポンジ状部材４ａおよびシール部材４ｂの材質をいずれもウレタンとしてもよい。ただし、スポンジ状部材４ａには、潤滑剤を吸収して保持するように多数の孔を設ける。スポンジ状部材４ａに多数の孔を設ける場合、例えば、発泡剤によって孔を設ければよい。一方、シール部材４ｂには、潤滑剤の透過を防止するため、そのような孔を設けなければよい。すなわち、発泡剤によって多数の孔を設けたフッ素樹脂やウレタンなどをスポンジ状部材４ａとすればよい。また、潤滑剤を透過させるような孔が設けられていないフッ素樹脂やウレタンなどをシール部材４ｂとすればよい。
【００２８】
また、本発明の粘着材シート切断装置は、潤滑剤保持部４のスポンジ状部材４ａに潤滑剤を供給するためのタンク、ポンプおよび潤滑剤供給管とを備える。図４は、潤滑剤を供給するためのタンク、ポンプおよび潤滑剤供給管を示す説明図である。ただし、図１で示した構成要素と同一の構成要素については、図１に示す符号と同一の符号を付し、説明を省略する。
【００２９】
タンク７は、潤滑剤保持部４のスポンジ状部材４ａに供給する潤滑剤を収容する。タンク７に収容される潤滑剤は、粘着材シート２１が有する粘着材がトムソン刃１に付着することを防ぐ潤滑剤である。潤滑剤として、例えばエタノールが使用される。潤滑剤には、粘着材がトムソン刃１に付着することを防止することの他に、揮発性を有すること、粘着材シート２１の層（例えば、セパレータの層）を溶かさないことが要求される。エタノールはこれらの要求を満たすので、潤滑剤として好ましい。これらの要求を満たす液剤であれば、潤滑剤としてエタノール以外の液剤を用いてもよい。
【００３０】
ポンプ６は、タンク７に収容されている潤滑剤を、潤滑剤供給管５を介して、潤滑剤保持部４のスポンジ状部材４ａに供給する定量吐出ポンプである。ポンプ６は、潤滑剤を供給することを命令する信号（以下、供給命令信号と記す。）が入力されると、タンク７から所定量の潤滑剤を吸い上げ、潤滑剤供給管５を介してその潤滑剤をスポンジ状部材４ａに供給する。
【００３１】
本発明の粘着材シート切断装置は、例えば、上部定盤（図４において図示せず。図５参照。）が上昇するときに、供給命令信号をポンプ６に入力する。この場合、上部定盤が上昇する毎（すなわち、粘着材シート２１を切断したトムソン刃１が上昇する毎）に、ポンプ６に供給命令信号が入力される。その結果、上部定盤が上昇する毎に、ポンプ６が所定量の潤滑剤をスポンジ状部材４ａに供給する。すなわち、トムソン刃１が粘着材シート２１を一回切断して上昇する毎に、ポンプ６が所定量の潤滑剤をスポンジ状部材４ａに供給する。
【００３２】
潤滑剤供給管５は、潤滑剤保持部４のスポンジ状部材４ａに潤滑剤を供給するパイプである。図４に示すように、潤滑剤供給管５は、刃ホルダ２の内部およびシール部材４ｂを通過してスポンジ状部材４ａに到達するように設けられる。また、潤滑剤供給管５は、ベースプレート３（図１参照。）および上部定盤（図５参照。）の内部も通過するように設けられる。なお、上部定盤、ベースプレート３、刃ホルダ２およびトムソン刃１が一体的に移動できるように、潤滑剤供給管５の少なくとも一部は、変形可能な部材によって形成される。
【００３３】
図５は、本発明の粘着材シート切断装置の構成を模式的に示す説明図である。ただし、図１で示した構成要素と同一の構成要素については、図１に示す符号と同一の符号を付し、説明を省略する。
【００３４】
図５に示すように、本発明の粘着材シート切断装置は、シリンダ３１と、上部定盤３２と、支柱３３と、下部定盤３５と、ベースプレート３と、刃ホルダ２と、トムソン刃１と、潤滑剤保持部４とを備える。また、図５では、タンク７、ポンプ６および潤滑剤供給管５の図示を省略している。
【００３５】
上部定盤３２は、支柱３３に沿って上下方向に移動する。上部定盤３２は、ばね（図示せず。）によって、下面から支えられる。このばね（図示せず。）は、上部定盤３２、ベースプレート３および刃ホルダ２等の自重によって、上部定盤３２が下方に降下しないように、上部定盤３２を下方から支える。
【００３６】
シリンダ３１は、動作時に上部定盤３２を下方に一定距離だけ押し込み、上部定盤３２を一定距離だけ下部定盤３５の方向に移動させる。このとき、ベースプレート３、刃ホルダ２およびトムソン刃１も上部定盤３２と一体的に下部定盤３５の方向に移動し、その結果、トムソン刃１が下部定盤３５上に配置された粘着材シート２１を切断する。シリンダ３１は、非動作時には上部定盤３２に力を加えない。従って、シリンダ３１が動作を停止したときには、上述のばね（図示せず。）が、上部定盤３２を上方に押し上げ、上部定盤３２、ベースプレート３、刃ホルダ２およびトムソン刃１を元の位置に戻す。なお、上部定盤３２を下方から支えるばね（図示せず。）の代わりにシリンダを用いてもよい。この場合、上部定盤３２を下方に押し込むシリンダ３１とは別に、上部定盤３２を下方から支えるシリンダ（図示せず。）が設けられることになる。
【００３７】
下部定盤３５には、切断対象となる粘着材シート２１が配置される。また、下部定盤３５の高さは、調整可能である。粘着材シート２１を切断する場合、シリンダ３１は一定距離だけ上部定盤３２を降下させるので、トムソン刃１の降下距離も一定である。よって、粘着材シート切断時におけるトムソン刃１の切り込み深さは、下部定盤３５の高さを変更することによって調整する。
【００３８】
また、下部定盤３２を水平方向に移動させるスライド機構を設けて、下部定盤３２を自動的に水平方向に移動できる構成であってもよい。このような構成の場合、切断対象となる粘着材シート２１を自動的に水平方向に移動させることができるので、切断位置を変えながら連続的に粘着材シート２１を切断することができる。
【００３９】
次に、動作について説明する。ここでは、潤滑剤がエタノールである場合を例にして説明する。
【００４０】
下部定盤３２には、あらかじめ粘着材シート２１が配置されている。まず、シリンダ３１が動作を開始する。すなわち、シリンダ３１が、上部定盤３２を下部定盤３５の方向に一定距離押し込む。この結果、上部定盤３２、ベースプレート３、刃ホルダ２およびトムソン刃１は、一体的に下部定盤３５に一定距離近づく。
【００４１】
すると、刃ホルダ２と粘着材シート２１との距離が短くなり、潤滑剤保持部４は、刃ホルダ２によって下部定盤３５上の粘着材シート２１に押し当てられて変形する。また、上部定盤３２を下方から支えるばね（図示せず。）の長さは短縮する。
【００４２】
潤滑剤保持部４のスポンジ状部材４ａ（図１、図２参照。）は押し当てられて変形すると、トムソン刃１の刃ホルダ２から張り出している部分に接触する。また、このとき、スポンジ状部材４ａは、保持しているエタノールを排出し、接触しているトムソン刃１に塗布する。
【００４３】
トムソン刃１は、エタノールを塗布されながら降下し、粘着材シート２１を切断する。図６は、刃ホルダ２やトムソン刃１が降下して粘着材シート２１を切断した状態を示す説明図である。トムソン刃１は、エタノールを塗布されながら降下するので、粘着材シート２１における粘着材の層がトムソン刃１に付着することを防止することができる。また、粘着材シート２１の粘着材の層の切り屑が生じたとしても、そのような異物（切り屑）がトムソン刃１に付着することを防止することができる。
【００４４】
シリンダ３１は上部定盤３２を一定距離押し下げると動作を停止する。すると、シリンダ３１から上部定盤３２に加えられる力がなくなり、ばね（上部定盤３２を下方から支えるばね。図示せず。）が上部定盤３２を上昇させ、元の長さに戻る。
【００４５】
ばね（図示せず。）が上部定盤３２を上昇させると、上部定盤３２、ベースプレート３、刃ホルダ２およびトムソン刃１は一体的に上昇し、それぞれシリンダ３１の動作開始前の位置に戻る。エタノールが塗布されることによってトムソン刃１への粘着材シートの粘着材の層の付着は防止されているので、トムソン刃１が上昇するときに粘着材の層が引き上げられることも防止でき、その結果、粘着材の層と他の層（セパレータなど）とが剥離してしまうことも防止できる。
【００４６】
また、トムソン刃１が上昇を開始した後も、少しの間、潤滑剤保持部４は刃ホルダ２によって粘着材シート２１に押し当てられて変形した状態になっている。このとき、潤滑剤保持部４は、徐々に元の厚さに戻っていく。従って、トムソン刃１が上昇を開始した後、トムソン刃１は、少しの間、潤滑剤保持部４によって擦られつつ上昇することになる。よって、仮に潤滑剤保持部４に異物（切り屑）が付着していたとしても、潤滑剤保持部４がその異物をトムソン刃１から落とすことを期待できる。
【００４７】
また、粘着材シート切断装置は、上部定盤３２が上昇するときに、ポンプ６（図４参照。）に供給命令信号を入力する。例えば、粘着材シート切断装置が、上部定盤３２の上昇を検出する検出装置（図示せず。）と、供給命令信号をポンプ６に入力する情報処理装置（図示せず。）とを備え、その検出装置が上部定盤３２の上昇を検出したときに、情報処理装置がポンプ６に供給命令信号を入力してもよい。
【００４８】
ポンプ６に供給命令信号が入力されると、ポンプ６は、タンク７（図４参照。）から所定量のエタノールを吸い上げ、潤滑剤供給管５（図４参照。）を介してそのエタノールをスポンジ状部材４ａに供給する。スポンジ状部材４ａは、供給されたエタノールを保持する。このように、トムソン刃１が粘着材シート２１を切断して上昇する度に、スポンジ状部材４ａにエタノールが補充される。
【００４９】
ばね（図示せず。）が上部定盤３２を元の位置まで上昇させると、粘着材シート切断装置はシリンダ３１（図５参照。）の動作開始前の状態に戻る。再度、粘着材シート２１を切断する場合には、上記と同様の動作を繰り返せばよい。
【００５０】
本発明によれば、トムソン刃１を粘着材シート２１に近づけるときに、潤滑剤保持部４が変形してトムソン刃１に潤滑剤を塗布する。そして、潤滑剤が塗布されたトムソン刃１が粘着材シート２１を切断する。従って、トムソン刃１に粘着材シート２１の粘着材の層が付着してしまい、トムソン刃１の上昇時に粘着材の層と他の層とが剥離してしまうことを防止できる。また、トムソン刃１への異物（粘着材シート２１の切り屑）の付着を防止することができる。
【００５１】
また、トムソン刃１が上昇するときに、ポンプ６がタンク７から潤滑剤を吸い上げ、その潤滑剤を潤滑剤保持部４のスポンジ状部材４ａに供給する。従って、自動的に潤滑剤保持部４に潤滑剤を補充することができる。
【産業上の利用可能性】
【００５２】
本発明は、粘着材の層を有する粘着材シートを切断する粘着材シート切断装置や粘着材シート切断方法に好適に適用される。
【図面の簡単な説明】
【００５３】
【図１】本発明の粘着材シート切断装置が備える刃および刃の周囲の構成要素を示す模式的断面図。
【図２】潤滑剤保持部の断面を示す断面図。
【図３】潤滑剤保持部の外観の例を示す斜視図。
【図４】潤滑剤を供給するためのタンク、ポンプおよび潤滑剤供給管を示す説明図。
【図５】本発明の粘着材シート切断装置の構成を模式的に示す説明図。
【図６】刃ホルダやトムソン刃が降下して粘着材シートを切断した状態を示す説明図。
【図７】粘着材シートを切断する従来の切断装置の刃の部分の例を示す説明図。
【図８】従来の切断装置のトムソン刃１０１が粘着材シート２１を切断した状態を示す説明図。
【符号の説明】
【００５４】
１  刃
２  刃ホルダ
３  ベースプレート
４  潤滑剤保持部
４ａ  スポンジ状部材
４ｂ  シール部材
５  潤滑剤供給管
６  ポンプ
７  タンク
３１  シリンダ
３２  上部定盤
３３  支柱
３５  下部定盤
【図１】
2008030137.tif 000003
【図２】
2008030137.tif 000004
【図３】
2008030137.tif 000005
【図４】
2008030137.tif 000006
【図５】
2008030137.tif 000007
【図６】
2008030137.tif 000008
【図７】
2008030137.tif 000009
【図８】
2008030137.tif 000010